(57)【要約】  本発明によるマスカラは、取手と、上記取手の一側から延長されるブラシ台と、上記ブラシ台の一端に備えられるチップ部材と、を含み、上記チップ部材は、柱状のベース部、及び上記ベース部の外周面から突出する複数個の突出部を含み、上記ベース部及び上記突出部は金属材質であることを特徴とする。
2020512088.tif 000002
【特許請求の範囲】
【請求項１】
取手と、
前記取手の一側から延長されるブラシ台と、
前記ブラシ台の一端に備えられるチップ部材と、
を含み、
前記チップ部材は、柱状のベース部、及び前記ベース部の外周面から突出する複数個の突出部を含み、前記ベース部及び前記突出部は金属材質であることを特徴とするマスカラ。
【請求項２】
前記ベース部及び前記突出部は一体型で設けられることを特徴とする請求項１に記載のマスカラ。
【請求項３】
前記突出部は、前記ベース部の外周面の一領域の周りに沿って連続的または不連続的に突出し、前記ベース部の長さ方向に沿って複数個備えられることを特徴とする請求項１に記載のマスカラ。
【請求項４】
前記突出部は、前記ベース部の外周面から突出した長さが異なるように備えられることを特徴とする請求項１に記載のマスカラ。
【請求項５】
前記突出部は、前記ベース部の端側において次第に長さが短くなるように備えられることを特徴とする請求項４に記載のマスカラ。
【請求項６】
前記ベース部は、長さ方向に沿って周りが異なるように備えられることを特徴とする請求項１に記載のマスカラ。
【請求項７】
前記ベース部は、長さ方向の中間領域が凹んで備えられることを特徴とする請求項６に記載のマスカラ。
【請求項８】
前記チップ部材は、一方向に向かって曲がるように備えられることを特徴とする請求項１に記載のマスカラ。
【請求項９】
前記ブラシ台は、金属材質からなることを特徴とする請求項１に記載のマスカラ。
【請求項１０】
前記ブラシ台の一端には、貫通孔がさらに備えられることを特徴とする請求項１に記載のマスカラ。
【請求項１１】
前記チップ部材のベース部は、前記ブラシ台に向かって延長され、前記貫通孔に結合される挿入部がさらに備えられることを特徴とする請求項１０に記載のマスカラ。
【請求項１２】
前記貫通孔の内周面には第１ネジ山が備えられ、前記挿入部の外周面には前記第１ネジ山と対応する第２ネジ山が備えられ、ネジ結合により前記チップ部材が前記ブラシ台に結合されることを特徴とする請求項１１に記載のマスカラ。
【請求項１３】
前記貫通孔の内周面の一領域には突起が備えられ、前記挿入部の外周面には前記突起と対応する位置にアンダーカットが備えられ、前記アンダーカットに前記突起が挿入されることにより、前記チップ部材が前記ブラシ台に結合されることを特徴とする請求項１１に記載のマスカラ。
【請求項１４】
前記貫通孔の内周面は前記挿入部の外周面と同一またはより小さく備えられ、前記貫通孔に前記挿入部を嵌合することにより前記チップ部材が前記ブラシ台に結合されることを特徴とする請求項１１に記載のマスカラ。
【請求項１５】
前記挿入部は、球状に設けられて前記貫通孔に挿入されることにより、前記チップ部材が回転できるように前記ブラシ台に結合されることを特徴とする請求項１１に記載のマスカラ。
【請求項１６】
前記ブラシ台は、端が内側に折り曲げられて延長される曲げ部をさらに含むことを特徴とする請求項１５に記載のマスカラ。
【請求項１７】
前記ブラシ台の端とともに前記挿入部を取り囲むカバー部材がさらに備えられることを特徴とする請求項１５に記載のマスカラ。
【請求項１８】
前記貫通孔には弾性部材が備えられ、前記弾性部材の弾性力によって前記チップ部材が前記貫通孔の内側及び外側に移動できることを特徴とする請求項１０に記載のマスカラ。
【請求項１９】
前記ブラシ台は、端が内側に折り曲げられて延長される曲げ部をさらに含むことを特徴とする請求項１８に記載のマスカラ。
【請求項２０】
前記チップ部材は、前記曲げ部の内側に位置し、前記弾性部材と接する一側に前記貫通孔の内周面と同じ大きさの板部材をさらに含むことを特徴とする請求項１９に記載のマスカラ。
【請求項２１】
前記チップ部材は、端にブラシ部材がより結合されることを特徴とする請求項１に記載のマスカラ。
【請求項２２】
前記ブラシ部材は、筆状またはワイヤにブラシ毛が巻かれた形状であることを特徴とする請求項２１に記載のマスカラ。
【請求項２３】
前記ブラシ毛は、ナイロン、綿織物及びエラストマーからなる群より選択される少なくとも何れか１つを含むことを特徴とする請求項２２に記載のマスカラ。
【発明の詳細な説明】
【技術分野】
【０００１】
本発明はマスカラに関し、より詳細には衛生性及び耐久性が改善されることができるマスカラに関する。
【背景技術】
【０００２】
通常、マスカラはまつ毛の化粧のために用意された道具であって、まつ毛をより滑らかで確実に強調し、目の輪郭を目立たせるようにまつ毛に多様な色のマスカラ液を塗るために用いられる。
【０００３】
このようなマスカラは、マスカラ液が収容される容器本体と、容器本体を開閉するための取手と、取手の下部に突出する棒状のブラシ台と、ブラシ台に形成されたブラシとで大きく構成される。このような構造のマスカラは、取手と容器本体を結合または分離することによってブラシに適量のマスカラ液をつけてからブラシを回して使用するのが一般的である。
【０００４】
特に、ブラシは、毛の長さと形状に応じて、まつ毛に対するボリューム（Volume：まつ毛をボリュームがあるように見せる効果）、カール（Curl：まつ毛の端を上向きにカールができるようにする効果）、ロングラッシュ（Long lash：まつ毛の長さが長く見えるようにする効果）、クリーン（Clean：まつ毛が固まらないようにする効果）などの様々な機能に合わせて製作される。
【０００５】
上記のような機能を発揮するマスカラブラシは、まつ毛を化粧する道具であるため、刺激を最小化するだけでなく、マスカラ液の塗り性に優れなければならず、消費者が感じる使用感が良くなければならない。
【０００６】
そのため、最近、マスカラブラシに対する研究が活発に行われており、その例として、マスカラブラシの形状及び材質を改良して上記したそれぞれの機能を補完、強化したり、複合機能を発揮したりするマスカラブラシを開発している。
【発明の概要】
【発明が解決しようとする課題】
【０００７】
本発明は上記のような従来技術の問題点を解決するために創出されたもので、本発明の目的は化粧液を塗布するチップ部材が金属材質からなることにより、洗浄が容易になることができる。
【０００８】
また、本発明の目的は、チップ部材が金属材質からなるため、継続的な使用でも形状の変形が防止できるだけでなく、視覚的な高級さを与えるマスカラを提供することである。
【０００９】
また、本発明の目的は、チップ部材の形状を多様に具現することができ、チップ部材と異なる材質のブラシを結合することによって、様々な使用感が感じられるマスカラを提供することである。
【課題を解決するための手段】
【００１０】
本発明の一実施例によるマスカラは、取手と、上記取手の一側から延長されるブラシ台と、上記ブラシ台の一端に備えられるチップ部材と、を含み、上記チップ部材は、柱状のベース部、及び上記ベース部の外周面から突出する複数個の突出部を含み、上記ベース部及び上記突出部は金属材質であることを特徴とする。
【００１１】
具体的に、上記ベース部及び上記突出部は一体型で設けられてもよい。
【００１２】
具体的に、上記突出部は、上記ベース部の外周面の一領域の周りに沿って連続的または不連続的に突出し、上記ベース部の長さ方向に沿って複数個備えられてもよい。
【００１３】
具体的に、上記突出部は、上記ベース部の外周面から突出した長さが異なるように備えられてもよい。
【００１４】
具体的に、上記突出部は、上記ベース部の端側において次第に長さが短くなるように備えられてもよい。
【００１５】
具体的に、上記ベース部は、長さ方向に沿って周りが異なるように備えられてもよい。
【００１６】
具体的に、上記ベース部は、長さ方向の中間領域が凹んで備えられてもよい。
【００１７】
具体的に、上記チップ部材は、一方向に向かって曲がるように備えられてもよい。
【００１８】
具体的に、上記ブラシ台は、金属材質からなってもよい。
【００１９】
具体的に、上記ブラシ台の一端には、貫通孔がさらに備えられてもよい。
【００２０】
具体的に、上記チップ部材のベース部は、上記ブラシ台に向かって延長され、上記貫通孔に結合される挿入部がさらに備えられてもよい。
【００２１】
具体的に、上記貫通孔の内周面には第１ネジ山が備えられ、上記挿入部の外周面には上記第１ネジ山と対応する第２ネジ山が備えられ、ネジ結合により上記チップ部材が上記ブラシ台に結合されてもよい。
【００２２】
具体的に、上記貫通孔の内周面の一領域には突起が備えられ、上記挿入部の外周面には上記突起と対応する位置にアンダーカットが備えられ、上記アンダーカットに上記突起が挿入されることにより、上記チップ部材が上記ブラシ台に結合されてもよい。
【００２３】
具体的に、上記貫通孔の内周面は上記挿入部の外周面と同一またはより小さく備えられ、上記貫通孔に上記挿入部を嵌合することにより上記チップ部材が上記ブラシ台に結合されてもよい。
【００２４】
具体的に、上記挿入部は、球状に設けられて上記貫通孔に挿入されることにより、上記チップ部材が回転できるように上記ブラシ台に結合されてもよい。
【００２５】
具体的に、上記ブラシ台は、端が内側に折り曲げられて延長される曲げ部をさらに含んでもよい。
【００２６】
具体的に、上記ブラシ台の端とともに上記挿入部を取り囲むカバー部材がさらに備えられてもよい。
【００２７】
具体的に、上記貫通孔には弾性部材が備えられ、上記弾性部材の弾性力によって上記チップ部材が上記貫通孔の内側及び外側に移動できてもよい。
【００２８】
具体的に、上記ブラシ台は、端が内側に折り曲げられて延長される曲げ部をさらに含んでもよい。
【００２９】
具体的に、上記チップ部材は、上記曲げ部の内側に位置し、上記弾性部材と接する一側に上記貫通孔の内周面と同じ大きさの板部材をさらに含んでもよい。
【００３０】
具体的に、上記チップ部材は、端にブラシ部材がより結合されてもよい。
【００３１】
具体的に、上記ブラシ部材は、筆状またはワイヤにブラシ毛が巻かれた形状であってもよい。
【００３２】
具体的に、上記ブラシ毛は、ナイロン、綿織物及びエラストマーからなる群より選択される少なくとも何れか１つを含んでもよい。
【発明の効果】
【００３３】
本発明によるマスカラは、化粧液を塗布するチップ部材が金属材質からなることにより洗浄が容易で、衛生的でありながらも、化粧液の塗布量が一定であり化粧液の固まりを防止し、カール効果を向上させることができる。
【００３４】
また、本発明によるマスカラは、チップ部材が金属材質からなることにより、継続的な使用でも形状の変形が防止することができて使用性が改善されるだけでなく、視覚的高級さと美麗さを与えることができる。
【００３５】
また、本発明によるマスカラは、チップ部材の形状を多様に具現し、金属材質のチップ部材に異なる材質のブラシを結合することによって、カール及びボリュームなどの様々な使用感を感じることができるため、使用者の満足度を向上させることができる。
【００３６】
また、本発明によるマスカラは、チップ部材が金属材質からなることにより、突出部の間隔、突出部の幅、及び突出部の長さを多様に構成することができ、突出部の端も様々な形状に形成することができるだけでなく、耐久性を保持することができる。
【図面の簡単な説明】
【００３７】
【図１】本発明の一実施例によるマスカラを示すものである。
【図２】（ａ）は本発明の他の実施例によるマスカラを示すものである。（ｂ）は、（ａ）ののチップ部材を正面からみたものである。（ｃ）は、（ａ）のチップ部材を端側からみたものである。
【図３】（ａ）〜（ｅ）は本発明の一実施例によるマスカラにおける突出部の様々な断面形状を示すものである。
【図４】（ａ）〜（ｄ）は本発明の一実施例によるマスカラにおいてベース部に突出部が形成された形状を示すものである。
【図５】（ａ）〜（ｃ）は本発明の一実施例によるマスカラにおいてベース部に突出部が形成された形態を示す図である。
【図６】（ａ）〜（ｆ）は本発明の一実施例によるマスカラにおける様々なチップ部材の形状を示すものである。
【図７】（ａ）〜（ｂ）は本発明の一実施例によるマスカラにおいてブラシ台とチップ部材が組み立てられる様々な方法を示すものである。
【図８】（ａ）〜（ｂ）は本発明の一実施例によるマスカラにおいてブラシ台とチップ部材が組み立てられる様々な方法を示すものである。
【図９】（ａ）〜（ｂ）は本発明の一実施例によるマスカラにおいてブラシ台とチップ部材が組み立てられる様々な方法を示すものである。
【図１０】（ａ）〜（ｃ）は本発明の一実施例によるマスカラにおいて角度が調節されるチップ部材を示すものである。
【図１１】（ａ）〜（ｃ）は本発明の一実施例によるマスカラにおいてチップ部材がブラシ台の内側及び外側に移動する状態を示すものである。
【図１２】（ａ）〜（ｂ）は本発明の一実施例によるマスカラにおいてチップ部材の端に様々な部材が結合された状態を示すものである。
【発明を実施するための形態】
【００３８】
本発明の目的、特定の利点及び新規の特徴は、添付の図面と関連する以下の詳細な説明と好ましい実施例から更に明らかになるだろう。本明細書では、各図面の構成要素に参照番号を付するにおいて、同じ構成要素に限ってはたとえ他の図面上に表示されたとしても、可能な限り同じ番号を付したことに留意すべきである。また、本発明を説明するにあたり、関連する公知技術に対する具体的な説明が本発明の要旨を不要に不明確にすると判断される場合には、その詳細な説明を省略する。
【００３９】
以下、添付の図面を参照して本発明の好ましい実施例を詳細に説明する。
【００４０】
図１は、本発明の一実施例によるマスカラを示すものである。
【００４１】
図１を参照すると、本発明の一実施例によるマスカラは、化粧液が収容される容器本体５０（図１１の（ａ）を参照）と、容器本体５０を開閉するための取手１０と、取手１０の下部に突出する棒状のブラシ台２０と、ブラシ台２０に形成されたチップ部材３０と、を含んでもよい。
【００４２】
まず、容器本体５０は、内部に化粧液が収容される空間を備え、後述する取手１０によって上部に備えられた注入口５１（図１１の（ａ）を参照）が密閉または開放されることができる。このとき、注入口５１の外周縁はネジ山状に備えられてもよい。当該容器本体５０は形態や構造などが特に限定されず、後述するブラシ台２０及びチップ部材３０を利用して内部に収容された化粧液を容易に引き出すことができる如何なる形態や構造で製造されてもよいことは言うまでもない。
【００４３】
また、取手１０は、容器本体５０と結合または分離されることができ、容器本体５０の蓋として用いられてもよい。このとき、取手１０の内側上部面には、ブラシ台２０が結合されて固定されてもよい。即ち、取手１０とブラシ台２０は、一体型または分離型で製造されてもよい。
【００４４】
当該取手１０は、容器本体５０とともにマスカラの外観を成し、容器本体５０の上部に備えられた注入口５１にネジ結合されるように内周縁にネジ山が備えられてもよい。但し、容器本体５０と取手１０はネジ結合によって開閉されることに限定されず、ネジ結合の他に開閉可能な多様な構造によって結合されてもよいことは言うまでもない。
【００４５】
ブラシ台２０は棒状であり、取手１０の内側上部面から容器本体５０に向かって延長されてもよい。当該ブラシ台２０の一端にはチップ部材３０が備えられてもよく、チップ部材３０は金属材質からなってもよい。また、チップ部材３０は、円柱状のベース部３１と、ベース部３１の外周面から突出する複数個の突出部３２と、を含んでもよい。
【００４６】
このように、チップ部材３０のベース部３１及び突出部３２がともに金属材質からなることにより、長時間使用しても形状の変形がないため、耐久性が良く、洗浄が容易で衛生的に使用することができる。また、金属の材質感が高級さと美麗さを倍加させることができる。このように金属材質からなるチップ部材３０は塗布される化粧液の量が一定であり、まつ毛の固まりを防止することができ、まつ毛を力強く支持できるため、カール効果を与えることができる。
【００４７】
図１に示したように、チップ部材３０のベース部３１は円柱状でありながら端の断面積が次第に小さくなるように備えられてもよい。また、ベース部３１の外周面から突出した突出部３２は全体的に同じ長さで突出するが、ベース部３１の端側は他の領域と異なる長さで突出してもよい。
【００４８】
即ち、突出部３２は、ベース部３１の端側において次第に突出した長さが短くなるように備えられてもよい。これにより、容器本体５０の注入口５１にチップ部材３０を入れたり出したりすることが容易になり、マスカラを便利に使用することができる。
【００４９】
また、突出部３２は、ベース部３１の外周面の一領域の周りに沿って連続的に突出してドーナツ状に備えられてもよく、ベース部３１の長さ方向に沿って複数個が設けられてもよい。このように突出部３２は円柱状のベース部３１の外周面に沿って備えられるため、突出部３２の端の周りも曲面を有するように設けられてもよい。
【００５０】
まつ毛の化粧の際、チップ部材３０に適量の化粧液をつけてからチップ部材３０を回して使用する。本発明の一実施例によるチップ部材３０において、突出部３２の周りが曲面を有するように設けられることにより、周りに角張った部分がないため、化粧の際、目に刺激を与えないことができ、使用者の使用感を満たすことができる。
【００５１】
化粧液はクリーム状であり、一定の溶媒に溶ける物質をクリームベースとして使用し、ここに染料を入れるか、乳脂に溶ける適切な染料を使用することができる。また、表面張力を下げるために、若干の湿潤剤を含ませて製造された一定の粘度のある溶液を使用することができる。これにより化粧液がまつ毛に流れないように塗布することができる。
【００５２】
このように、化粧液が粘性を有するため、金属材質からなるチップ部材３０の突出部３２の間に化粧液が担持されることによってまつ毛に塗布される化粧液の量が一定でありながら、優れたカール効果を示すことができる。
【００５３】
本発明の一実施例では、金属材質のチップ部材３０において、ベース部３１が円柱状に備えられ、突出部３２がベース部３１の端側で次第に短く備えられると説明したが、これに限定されるものではない。ベース部３１の形状と、突出部３２の形状、長さ及び密度などを多様に形成できることは言うまでもない。これにより、使用者のニーズに合わせてチップ部材３０を多様に製造することができる。
【００５４】
図２の（ａ）は本発明の他の実施例によるマスカラを示すものであり、図２の（ｂ）は図２の（ａ）のチップ部材を正面からみたものであり、図２の（ｃ）は図２の（ａ）のチップ部材を端側からみたものである。
【００５５】
図２の（ａ）〜図２の（ｃ）を参照すると、本発明の他の実施例によるマスカラはチップ部材４０を含んでもよく、当該チップ部材４０はベース部４１及び突出部４２を含んでもよい。このとき、ベース部４１は、長さ方向に沿って周りが異なるように備えられてもよい。即ち、ベース部４１は目の形に適合するように長さ方向の中間領域が凹んで備えられてもよい。
【００５６】
このように、本発明の他の実施例によるマスカラにおいて、チップ部材４０のベース部４１はまつ毛の根元部分が位置した領域の形状と対応するように曲面を有するように形成されるため、まつ毛の奥深い根元部分までチップ部材４０の浸透が可能であり、カール効果を向上させることができ、より容易に化粧することができる。
【００５７】
また、図２の（ｃ）のように、チップ部材４０の突出部４２は、ベース部４１の外周縁の一領域の周りに沿って連続的に突出してもよく、ベース部４１の長さ方向に沿って複数個備えられてもよい。また、突出部４２はベース部４１の外周縁から一定の長さで突出してもよい。
【００５８】
図２の（ｂ）を参照すると、突出部４２の間隔Ａは０．１〜０．７ｍｍであってもよく、突出部４２の幅Ｂは０．１〜０．６ｍｍであってもよく、ベース部４１の外周面から突出した突出部４２の長さＣは０．１〜０．９ｍｍであってもよい。上述した範囲内で、突出部４２の間隔Ａを狭くまたは広く形成してもよく、突出部４２の幅Ｂを薄くまたは厚く形成してもよく、突出部４２の長さＣを短くまたは長く形成してもよい。ここで、チップ部材４０が金属材質からなることにより、チップ部材４０の形状を多様に構成することができ、これにより、様々な化粧効果を演出することができ、耐久性が向上することができる。
【００５９】
このように、様々な突出部４２の間隔Ａ、突出部４２の幅Ｂ、及び突出部４２の長さＣによってまつ毛の固まりを防止しながらも、塗布された化粧液の量を一定にすることができ、カール効果を最大化することができる。
【００６０】
但し、突出部４２の間隔Ａ、突出部４２の幅Ｂ、及び突出部４２の長さＣはこれに限定されるものではなく、多様に変更設計できることは言うまでもない。また、ベース部４１の形状や突出部４２の形状、長さ及び密度はこれに限定されず、まつ毛の固まり防止及びカール効果を表すことができるように多様に備えられることは言うまでもない。
【００６１】
図３の（ａ）〜図３の（ｅ）は、本発明の一実施例によるマスカラにおける突出部の様々な断面形状を示すものである。
【００６２】
図３の（ａ）〜図３の（ｅ）を参照すると、本発明の一実施例によるマスカラの突出部３２は、様々な断面形状で備えられてもよい。図３の（ａ）のように四角形に備えられても、図３の（ｂ）のように一側に傾斜して端が尖るように備えられても、図３の（ｃ）のように中間領域の端が尖って形成されるように傾斜して備えられてもよい。また、図３の（ｄ）のように台形状や図３の（ｅ）のラウンド状に備えられることもできる。
【００６３】
このように、突出部３２の端側の断面形状は多様に備えられることができ、上記実施例に限定されず、様々な突出部３２の端側の断面形状によって様々な化粧効果を示すことができる。図３の（ａ）や図３の（ｄ）の突出部３２はより強力にまつ毛を支持することができ、図３の（ｂ）または図３の（ｃ）の突出部３２はまつ毛の根元部分までの浸透がより容易であるため、化粧効果を向上させることができ、図３の（ｅ）の突出部３２はラウンド状であるため、よりナチュラルにまつ毛のカール効果を演出することができる。
【００６４】
図４の（ａ）〜図５の（ｂ）は、本発明の一実施例によるマスカラにおいてベース部に突出部が形成された形状を示すものである。
【００６５】
まず、図４の（ａ）及び図４の（ｄ）を参照すると、チップ部材１３０は、円柱状のベース部１３１と、当該ベース部１３１の外周面の一領域の周りに沿って不連続に突出した突出部１３２と、を含んでもよい。また、突出部１３２はベース部１３１の長さ方向に沿って複数個備えられてもよい。このとき、突出部１３２がベース部１３１の外周面の一領域の周りに沿って不連続に形成されるため、ベース部１３１は長さ方向に沿って一部に突出部１３２が形成されない部分があることがある。
【００６６】
即ち、ベース部１３１は長さ方向に沿って一部が露出されてもよく、図４の（ｄ）でのようにチップ部材１３０の端側からみて、ベース部１３１の左側に突出部１３２が形成されない領域が備えられてもよい。図４の（ａ）はチップ部材１３０を正面からみた形状であり、図４の（ｂ）及び図４の（ｃ）はそれぞれチップ部材１３０を左側面及び右側面からみた形状である。
【００６７】
図４の（ａ）を参照すると、正面からみて、ベース部１３１の左側にはベース部１３１の外周面から突出部１３２が突出せず、右側にはベース部１３１の外周面から突出部１３２が突出することができる。また、図４の（ｂ）を参照すると、左側に位置したベース部１３１の外周面には突出部１３２が形成されないことがある。また、図４の（ｃ）を参照すると、右側に位置したベース部１３１の外周面には突出部１３２がぎっしりと形成されてもよい。
【００６８】
そして、図５の（ａ）〜図５の（ｃ）を参照すると、チップ部材２３０は、円柱状のベース部２３１と、当該ベース部２３１の外周面の一領域の周りに沿って不連続に突出した突出部２３２と、を含んでもよい。即ち、ベース部２３１は長さ方向に沿って一部に突出部２３２が形成されない部分があることがある。
【００６９】
ベース部２３１は長さ方向に沿って一部が露出されてもよく、図５の（ｃ）でのようにチップ部材２３０の端側からみて、ベース部２３１の左側及び右側にそれぞれ突出部２３２が形成されない領域が備えられてもよい。即ち、ベース部２３１の上側及び下側にそれぞれ突出部２３２が突出してもよい。図５の（ａ）はチップ部材２３０を正面からみた形状であり、図５ｂはチップ部材２３０を左側面または右側面からみた形状である。
【００７０】
図５の（ａ）を参照すると、正面からみて、ベース部２３１の外周面にだけ突出部２３２が突出し、ベース部２３１の左側または右側には突出部２３２が突出しなくてもよい。そして、図５の（ｂ）を参照すると、左側または右側に位置したベース部２３１の外周面には突出部２３２が形成されず、正面側から突出した突出部２３２が両脇に突出してもよい。
【００７１】
このように、図４の（ａ）〜図５の（ｃ）によると、チップ部材１３０、２３０は、ベース部１３１、２３１の外周面の周りに沿って突出部１３２、２３２が形成されない領域が存在することができる。これにより、まつ毛に化粧液を塗布する際、突出部１３２、２３２が形成されていない領域は目の周りの他の部分に干渉されなくなるため、まつ毛以外の部分にマスカラ液が付くことを防止することができる。
【００７２】
図６の（ａ）〜図６の（ｆ）は、本発明の一実施例によるマスカラにおける様々なチップ部材の形状を示すものである。
【００７３】
図６の（ａ）のチップ部材３３０は、円柱状のベース部３３１と、ベース部３３１の外周面から異なる長さで突出する突出部３３２と、を含んでもよい。ベース部３３１の長さ方向の中間領域に位置した突出部３３２が最も長く形成され、両端に向かうほど徐々に突出部３３２が短く形成されてもよい。
【００７４】
図６の（ｂ）のチップ部材４３０は、ベース部４３１が端に向かうほど徐々に薄くなる柱状であり、突出部４３２はベース部４３１の外周面から突出した長さが端に向かうほど長く形成されてもよい。これにより、ベース部４３１の長さ方向に沿って突出部４３２の端は同様に位置することができる。
【００７５】
即ち、まつ毛の根元部分を化粧する際にはチップ部材４３０の端を利用し、まつ毛の端部分を化粧する際にはブラシ台２０（図１参照）側に位置したチップ部材４３０を利用することができる。このように、必要に応じてチップ部材４３０の使用部分を異ならせることができる。
【００７６】
図６の（ｃ）のチップ部材５３０はベース部５３１が円柱状であり、ベース部５３１の端に位置した突出部５３２の間隔よりブラシ台２０側に位置した突出部５３２の間隔がさらに密に備えられてもよい。これにより、化粧液の塗布量を異ならせることができるため、必要に応じて両端を選択的に利用することができる。
【００７７】
図６の（ｄ）のチップ部材６３０はベース部６３１が円柱状であり、突出部６３２がベース部６３１の左側には形成されず、ベース部６３１の右側にだけ形成されてもよい。（図４参照）
【００７８】
また、図６の（ｅ）のチップ部材７３０は、ベース部７３１が他のチップ部材に比べて短く備えられ、当該ベース部７３１の外周面から突出した突出部７３２の間隔が異なるように備えられてもよい。即ち、図６の（ｃ）とは逆に、ブラシ台２０側に位置した突出部７３２の間隔よりベース部７３１の端に位置した突出部７３２の間隔がより密に備えられてもよい。これにより、化粧液の塗布量を異ならせることができる。
【００７９】
これに加え、ベース部７３１の端に位置した突出部７３２はベース部７３１の長さ方向に沿って突出長さが異なるように備えられるため、まつ毛の根元部分または端部分を化粧する際に異なる部位を利用して容易に化粧することができる。
【００８０】
図６の（ｆ）を参照すると、チップ部材８３０は一方向に向かって曲がるように備えられてもよい。即ち、目の形に応じてベース部８３１が曲がってもよく、曲がったベース部８３１の外周面から突出部８３２が突出してもよい。これにより、より便利にまつ毛に化粧液を塗布することができる。
【００８１】
このように、チップ部材３３０、４３０、５３０、６３０、７３０、８３０を多様に備えることにより、異なる化粧効果を具現することができるため、使用者が希望する効果に応じて便利にチップ部材３３０、４３０、５３０、６３０、７３０、８３０を選択して使用することができ、使用者に満足感を与えることができる。
【００８２】
但し、チップ部材３３０、４３０、５３０、６３０、７３０、８３０において、突出部の間隔、長さ、厚さ、形状及びベース部の曲がった程度、太さ等はこれに限定されず、多様に変更可能である。
【００８３】
図７の（ａ）〜図９の（ｂ）は、本発明の一実施例によるマスカラにおいてブラシ台とチップ部材が組み立てられる様々な方法を示すものである。
【００８４】
本発明の一実施例によるマスカラにおいて、ブラシ台２０の一端に金属材質のチップ部材３０が結合されてもよい。ここで、ブラシ台２０は金属材質からなってもよく、この場合、ブラシ台２０とチップ部材３０は一体型で形成されることができる。これにより、ブラシ台２０とチップ部材３０を組み立てる工程が不要となり、製造工程及び費用を節減することができる。
【００８５】
以下では、ブラシ台２０が金属材質または非金属材質で形成され、ブラシ台２０とチップ部材３０が分離型である場合、ブラシ台２０にチップ部材３０を結合する様々な方法について説明する。
【００８６】
図７の（ａ）及び図７の（ｂ）を参照すると、ブラシ台２０はチップ部材３０が結合される一端に貫通孔２１が備えられてもよい。また、チップ部材３０のベース部３１にはブラシ台２０に向かって延長され、貫通孔２１に挿入される挿入部３３がさらに備えられてもよい。
【００８７】
このとき、貫通孔２１の内周面には第１ネジ山２２が備えられもよく、挿入部３３の外周面には第１ネジ山２２と対応するように第２ネジ山３４が備えられてもよい。これにより、貫通孔２１の第１ネジ山２２に挿入部３３の第２ネジ山３４が回転されながら締結されるネジ結合を通じてチップ部材３０がブラシ台２０に堅固に結合されることができる。
【００８８】
また、図８の（ａ）及び図８の（ｂ）を参照すると、ブラシ台２０の一端の貫通孔２１の内周面の一領域には突起２３が備えられてもよく、ベース部３１から貫通孔２１に向かって延長された挿入部３３の外周面には突起２３と対応する位置にアンダーカット３５が備えられてもよい。これにより、貫通孔２１に挿入部３３を挿入するとき、突起２３がアンダーカット３５に挿入されることによってチップ部材３０がブラシ台２０に結合されることができる。
【００８９】
また、図９の（ａ）及び図９の（ｂ）を参照すると、ブラシ台２０の一端に備えられた貫通孔２１の内周面はチップ部材３０に備えられた挿入部３３の外周面と同一または少し小さく備えられ、貫通孔２１に挿入部３３を嵌合することでチップ部材３０がブラシ台２０に結合されることができる。
【００９０】
このように、ブラシ台２０に挿入部を様々な方法で結合させることができ、上記実施例に限定されるものではない。
【００９１】
図１０の（ａ）〜図１０の（ｃ）は、本発明の一実施例によるマスカラにおいて角度が調整されるチップ部材を示すものである。
【００９２】
図１０の（ａ）及び図１０の（ｂ）を参照すると、ブラシ台２０の一端には貫通孔２１が備えられてもよく、チップ部材３０のベース部３１にはブラシ台２０に向かって延長され、貫通孔２１に挿入される挿入部３３がさらに備えられてもよい。このとき、挿入部３３は球状に備えられてもよく、これにより貫通孔２１に挿入部３３が挿入されることで、チップ部材３０がブラシ台２０に対して様々な角度で回転できるようにブラシ台２０に結合されることができる。
【００９３】
ここで、チップ部材３０の挿入部３３は貫通孔２１に嵌合されてもよいが、回転時に貫通孔２１から離脱する可能性があるため、これを防ぐために、図１０の（ａ）及び図１０の（ｂ）のように、ブラシ台２０の端は内側に折り曲げられて延長された曲げ部２４をさらに含んでもよい。これにより、球状の挿入部３３が貫通孔２１内で自由に回転しながらも貫通孔２１の外側に離脱しないことができる。
【００９４】
図１０の（ｃ）では、貫通孔２１から挿入部３３が離脱することを防止するためにカバー部材６０が備えられてもよい。カバー部材６０はブラシ台２０の端とともに挿入部３３を取り囲む形状であってもよい。このとき、カバー部材６０は、チップ部材３０の挿入部３３の上側が貫通できるように挿入孔６１が備えられてもよい。
【００９５】
このように、挿入部３３を球状に形成してヒンジ軸として利用することによって、様々な方向にチップ部材３０の角度を調整することができるため、まつ毛の化粧時に希望する角度に調整してより便利に化粧することができる。
【００９６】
図１１の（ａ）〜図１１の（ｃ）は、本発明の一実施例によるマスカラにおいてチップ部材がブラシ台の内側及び外側に移動する状態を示すものである。
【００９７】
図１１の（ａ）〜図１１の（ｃ）を参照すると、ブラシ台２０の一端に備えられた貫通孔２１に弾性部材７０が位置してもよい。また、弾性部材７０が貫通孔２１の外側に離脱しないようにブラシ台２０の端は、内側に折り曲げられて延長された曲げ部２４をさらに含んでもよい。また、チップ部材３０が弾性部材７０の弾性力によって貫通孔２１の内側及び外側に移動できるように、チップ部材３０は弾性部材７０と接する一側に貫通孔２１の内周面と同じ大きさの板部材３７をさらに含んでもよい。
【００９８】
これにより、図１１の（ａ）のように、容器本体５０の注入口５１側にチップ部材３０が位置してチップ部材３０の端側に力が加わらないと、弾性部材７０は最大の弾性力が生じた状態に伸びて貫通孔２１の内部に位置し、チップ部材３０の板部材３７は貫通孔２１の端の曲げ部２４と接触された状態を保持するようになる。このため、チップ部材３０は貫通孔２１の外側に位置することができる。
【００９９】
また、図１１の（ｂ）を参照すると、チップ部材３０の端が容器本体５０の内側の底面と接触すると、弾性部材７０が収縮し始めながらチップ部材３０が貫通孔２１の内部に少しずつ挿入されることができる。その後、図１１の（ｂ）のように、取手１０が容器本体５０に結合されると、チップ部材３０が貫通孔２１の内部に完全に挿入されるようになり、弾性部材７０は最大に収縮されることができる。
【０１００】
このように、ブラシ台２０の一端に形成された貫通孔２１に弾性部材７０が備えられることにより、弾性力によってチップ部材３０が貫通孔２１の内側及び外側に移動することができる。これにより、まつ毛を化粧するために、容器本体５０から取手１０を分離すると、ブラシ台２０の貫通孔２１からチップ部材３０が出ることができ、保管のために、容器本体５０に取手１０を結合すると、ブラシ台２０の貫通孔２１の内側にチップ部材３０が入ることができる。
【０１０１】
即ち、弾性部材７０によってブラシ台２０の長さが調整できるようになるため、化粧をする際、ブラシ台を長くして使用することができ、保管時にはチップ部材３０が貫通孔２１に挿入されて化粧液がチップ部材３０に過度に塗布されて固まる現象を防ぐことができる。このように、本実施例によると、マスカラの使用性を改善することができる。
【０１０２】
ここで、容器本体５０は、注入口５１の内側にパッキン部材５２をさらに含んでもよい。当該パッキン部材５２は、容器本体５０とチップ部材３０の間から化粧液が漏れないようにしながら、チップ部材３０に付いて出てくる化粧液の量を適切に調整することができる。これにより、パッキン部材５２は、容器本体５０からのチップ部材３０を引き出す時、チップ部材３０に付いている化粧液を一定量落として適量の化粧液をまつ毛に塗布できるようにするため、効果的なまつ毛の化粧効果を与えることができる。
【０１０３】
図１２の（ａ）〜図１２の（ｂ）は、本発明の一実施例によるマスカラにおいてチップ部材の端に様々な部材が結合された状態を示すものである。
【０１０４】
図１２の（ａ）及び図１２の（ｂ）を参照すると、本発明の金属材質で形成されたチップ部材３０は、端に別のブラシ部材がさらに結合されて使用されてもよい。
【０１０５】
まず、図１２の（ａ）を参照すると、チップ部材３０の端に筆状のアイライナーブラシ８３が結合されてもよい。これにより、金属部材で形成されたチップ部材３０はまつ毛を化粧することができ、チップ部材３０の端に備えられたアイライナーブラシ８３はアイラインを引くことができる。また、チップ部材３０とアイライナーブラシ８３が異なる材質で形成されることにより、化粧液が混ざったり、固まった化粧液がチップ部材３０に挟まったりする現状を最小化することができる。
【０１０６】
図１２の（ｂ）を参照すると、チップ部材３０の端に第２ブラシ部材８０が結合されてもよい。ここで、第２ブラシ部材８０は一定の長さを有するブラシ毛８２を２本のワイヤ８１の間に置き、ネジ状に一定回数捩って形成してもよい。このとき、第２ブラシ部材８０は、その断面が中央のワイヤ８１軸を基準として円形、三角形または扇子状などの多様な形状であってもよい。また、ブラシ毛８２はナイロン、綿織物及びエラストマーからなる群より選択される少なくとも何れか１つを含んでもよい。
【０１０７】
当該第２ブラシ部材８０は、ワイヤ８１の捩れによってブラシ毛８２がネジ状に放射されて、ブラシ毛８２の間に化粧液を多量収容するようになるため、まつ毛にボリューム感を与えることができる。これにより、第２ブラシ部材８０を利用してまつ毛を豊かに演出し、金属材質のチップ部材３０を利用して固まった部分を除去しながら、まつ毛を力強く支持してカール効果を一緒に演出することができる。このように、チップ部材３０と第２ブラシ部材８０はそれぞれ異なる化粧効果を与えることができるため、使用者の多様なニーズを満たすことができる。
【０１０８】
図１２の（ａ）及び図１２の（ｂ）のように、チップ部材３０の端に結合されるブラシ部材は、上述した図７の（ａ）〜図１０の（ｃ）の方法により結合されてもよく、さらに融着などを通じてより強固に結合されてもよい。このように、チップ部材３０とブラシ部材が強固に結合されることによって結束力がより強くなり、異形の材質からなるマスカラの信頼性が向上することができる。
【０１０９】
本発明の実施例のように、チップ部材３０が金属材質で形成される場合、チップ部材３０に化粧液が固まっても洗浄が容易であり、図１２の（ａ）及び図１２の（ｂ）のように、異種の材質で構成されても化粧液が混ざる問題が少なく、様々な使用感を感じることができるため、使用者に満足感を与えることができる。
【０１１０】
以上、本発明を具体的な実施例を通じて詳細に説明したが、これは本発明を具体的に説明するためのものであって、本発明はこれに限定されず、本発明の技術的思想内で当該分野の通常の知識を有する者によってその変形や改良が可能であることは明らかである。
【０１１１】
本発明の単純な変形ないし変更は全て本発明の範囲に属し、本発明の具体的な保護範囲は添付の特許請求の範囲によって明確になるであろう。
【符号の説明】
【０１１２】
１０  取手
２０  ブラシ台
２１  貫通孔
２２  第１ネジ山
２３  突起
２４  曲げ部
３０、４０  チップ部材
３１、４１  ベース部
３２、４２  突出部
３３  挿入部
３４  第２ネジ山
３５  アンダーカット
５０  容器本体
６０  カバー部材
７０  弾性部材
８０  第２ブラシ部材
８１  ワイヤ
８２  ブラシ毛
８３  アイライナーブラシ
【図１】
2020512088.tif 000003
【図２（ａ）】
2020512088.tif 000004
【図２（ｂ）】
2020512088.tif 000005
【図２（ｃ）】
2020512088.tif 000006
【図３（ａ）】
2020512088.tif 000007
【図３（ｂ）】
2020512088.tif 000008
【図３（ｃ）】
2020512088.tif 000009
【図３（ｄ）】
2020512088.tif 000010
【図３（ｅ）】
2020512088.tif 000011
【図４（ａ）】
2020512088.tif 000012
【図４（ｂ）】
2020512088.tif 000013
【図４（ｃ）】
2020512088.tif 000014
【図４（ｄ）】
2020512088.tif 000015
【図５（ａ）】
2020512088.tif 000016
【図５（ｂ）】
2020512088.tif 000017
【図５（ｃ）】
2020512088.tif 000018
【図６（ａ）】
2020512088.tif 000019
【図６（ｂ）】
2020512088.tif 000020
【図６（ｃ）】
2020512088.tif 000021
【図６（ｄ）】
2020512088.tif 000022
【図６（ｅ）】
2020512088.tif 000023
【図６（ｆ）】
2020512088.tif 000024
【図７（ａ）】
2020512088.tif 000025
【図７（ｂ）】
2020512088.tif 000026
【図８（ａ）】
2020512088.tif 000027
【図８（ｂ）】
2020512088.tif 000028
【図９（ａ）】
2020512088.tif 000029
【図９（ｂ）】
2020512088.tif 000030
【図１０（ａ）】
2020512088.tif 000031
【図１０（ｂ）】
2020512088.tif 000032
【図１０（ｃ）】
2020512088.tif 000033
【図１１（ａ）】
2020512088.tif 000034
【図１１（ｂ）】
2020512088.tif 000035
【図１１（ｃ）】
2020512088.tif 000036
【図１２（ａ）】
2020512088.tif 000037
【図１２（ｂ）】
2020512088.tif 000038
【国際調査報告】
2020512088.tif 000039
2020512088.tif 000040
2020512088.tif 000041
2020512088.tif 000042